(57)【特許請求の範囲】
【請求項１】
擁壁パネルを擁壁の前面に積み上げて配置する擁壁構造であって、
前記擁壁パネルと、
前記擁壁パネルの前記壁面部の背面に連結し、前記擁壁パネルの背面側の盛土内に埋設した控部材と、からなり、
前記擁壁パネルは、擁壁の壁面を構成する略直方体の壁面部と、前記壁面部と同一の高さであり前記壁面部の背面に立設する支持部と、からなり、前記支持部の上面及び下面を水平とした際に、前記壁面部の上面及び下面が、背面から前面に向けて上方に傾斜するように、前記壁面部が傾斜し、
前記擁壁パネルを、前記壁面部が鉛直になるように積み上げて配置することを特徴とする、
擁壁構造。
【請求項２】
請求項１に記載の擁壁構造において、
前記擁壁パネルの支持部の端面の一部に切欠部を形成することを特徴とする、擁壁構造。
【請求項３】
請求項１又は請求項２に記載の擁壁構造において、
前記擁壁パネルの壁面部に、上面から下面への貫通孔を形成し、前記貫通孔内に鉄筋を挿入して上部と下部の前記擁壁パネルを一体とすることを特徴とする、擁壁構造。
【発明の詳細な説明】
【技術分野】
【０００１】
本発明は、擁壁パネルを用いた擁壁構造に関するものである。
【背景技術】
【０００２】
従来、コンクリート製の擁壁パネルを積み上げて傾斜壁を形成する壁面工と、壁面の背面に盛土を行う盛土工を繰り返して行い、傾斜壁の擁壁構造を構築する方法が知られている。
この際に使用される擁壁パネルは、擁壁構造の壁面を形成する壁面部と、壁面部の背面に立設する支持部と、を有する。（図９）
この擁壁パネルは、擁壁施工時に自立するように、上面および下面が水平となるように形成されている。
【発明の概要】
【発明が解決しようとする課題】
【０００３】
しかし、従来の擁壁パネルには、以下の問題があった。
（１）擁壁パネルの上面および下面の接触幅が狭いため、擁壁パネルを積み上げた際に前方もしくは後方に滑動の恐れがある。
（２）擁壁パネルが滑動する恐れがあるため、擁壁施工時に擁壁パネルを固定する必要がある。
【０００４】
本発明は、直壁を有する擁壁構造を容易に構築できる擁壁パネルを用いた擁壁構造を提供することを目的とする。
【課題を解決するための手段】
【０００５】
上記目的を達成するためになされた本願の第１発明は、擁壁パネルを擁壁の前面に積み上げて配置する擁壁構造であって、前記擁壁パネルと、前記擁壁パネルの前記壁面部の背面に連結し、前記擁壁パネルの背面側の盛土内に埋設した控部材と、からなり、前記擁壁パネルは、擁壁の壁面を構成する略直方体の壁面部と、前記壁面部と同一の高さであり前記壁面部の背面に立設する支持部と、からなり、前記支持部の上面及び下面を水平とした際に、前記壁面部の上面及び下面が、背面から前面に向けて上方に傾斜するように、前記壁面部が傾斜し、前記擁壁パネルを、前記壁面部が鉛直になるように積み上げて配置することを特徴とする、擁壁構造を提供するものである。
本願の第２発明は、第１発明の擁壁構造において、前記擁壁パネルの支持部の端面の一部に切欠部を形成することを特徴とする、擁壁構造を提供するものである。
本願の第３発明は、第１発明又は第２発明の擁壁構造において、前記擁壁パネルの壁面部に、上面から下面への貫通孔を形成し、前記貫通孔内に鉄筋を挿入して上部と下部の前記擁壁パネルを一体とすることを特徴とする、擁壁構造を提供するものである。
【発明の効果】
【０００６】
本発明は、上記した課題を解決するための手段により、次のような効果の少なくとも一つを得ることができる。
（１）支持部に対して壁面部の上面及び下面が上方に傾斜するため、支持部の上面及び下面を水平にして擁壁パネルを積み上げた際に重なり合う壁面部の上面及び下面が、擁壁パネルの前方への滑動に対する抵抗面となり、擁壁施工時に擁壁パネルが安定する。
（２）擁壁パネルの壁面部の上面及び下面が滑動に対する抵抗面となるため、安定した擁壁構造となる。
（３）擁壁パネルの背面には、壁面部と隣り合う支持部とにより拘束空間を形成する。この拘束空間により擁壁パネルの背面の盛土を拘束し、擁壁パネルに作用する土圧を低減し、擁壁パネルの前方への転倒を抑止する。
（４）支持部に設けた切欠部により、隣り合う拘束空間が連続し一体となり、擁壁パネル背面の盛土全体を拘束する。これにより擁壁パネルに作用する土圧が低減し、擁壁パネルの前方への転倒を抑止する。
（５）壁面部は略直方体であるため、壁面部の上面及び下面を水平にして擁壁パネルを積み上げることにより、直壁を構築することもできる。
（６）壁面部の上面及び下面を水平とした際には、支持部の上面及び下面が上方に傾斜するため、擁壁パネルを積み上げた際に重なり合う支持部の上面及び下面が、擁壁パネルの後方への滑動に対する抵抗面となり、擁壁施工時に擁壁パネルが安定する。
（７）擁壁パネルを積み上げる際に、上部の擁壁パネルとその下部の擁壁パネルの貫通孔に鉄筋を挿入することにより、上下の擁壁パネルを一体とし、擁壁構築時の擁壁パネルの転倒を容易に防止することができる。
【図面の簡単な説明】
【０００７】
【図１】擁壁構造の説明図
【図２】擁壁パネルの斜視図
【図３】擁壁パネルを積み上げる際の説明図
【図４】擁壁パネルを組み合わせた際の説明図
【図５】本発明の擁壁構造の施工方法の説明図
【図６】本発明に係る擁壁パネルを積み上げる際の説明図
【図７】本発明に係る擁壁パネルの斜視図
【図８】擁壁の施工方法の説明図
【図９】従来の擁壁構造の説明図
【発明を実施するための形態】
【０００８】
以下、図に示す実施例に基づき、本発明を詳細に説明する。
【０００９】
［１］全体の構成
本発明の擁壁構造は、擁壁パネル１と、擁壁パネル１の背面に連結する控部材２と、からなる。（図１）
以下、各構成部材について詳述する。
【００１０】
（１）擁壁パネル
擁壁パネル１は擁壁面を構成し、盛土３の形状を保持するものである。
擁壁パネル１は、コンクリート製であり、工場で製造したものを現場に搬入する。
擁壁パネル１は、直方体の板状部材で擁壁表面を構成する壁面部１１と、壁面部１１の背面に設ける支持部１２と、からなる。（図２）
【００１１】
（１−１）支持部
支持部１２は、壁面部１１の背面に立設する板状の部材である。
壁面部１１と支持部１２は同一の高さとする。
支持部１２は、壁面部１１の背面の全高に亘って配置し、壁面部１１を補強する効果を有する。
支持部１２は、上面１２１及び下面１２２を水平とした際に、壁面部１１の上面１１１及び下面１１２が背面から前面に向けて上方に傾斜するように立設する。
【００１２】
（１−２）切欠部
支持部１２の盛土３側の背面には、縦断面が略台形状となる切欠部１２３を形成する。
支持部１２の一部を欠損することにより、材料費を削減できると共に、擁壁パネル１を軽量化し、作業効率を向上することができる。
【００１３】
（１−３）拘束空間
壁面部１１の背面には、壁面部１１と、隣り合う支持部１２、１２とにより囲まれる拘束空間Ｒが形成される。
拘束空間Ｒは、擁壁パネル１の背面に盛土をした際に、盛土の三方を囲んで拘束する。このため、擁壁パネル１に作用する土圧が軽減される。
また、拘束空間Ｒは切欠部１２により一部が開放されており、支持部１２より外側に別の拘束空間が形成されたときには、拘束空間が連続して形成されることとなる。
【００１４】
（２）控部材
控部材２は、一方の端部を擁壁パネル１の背面に連結し、他方を盛土３内に水平に埋設する。
控部材２は、ベルト状、綿状の部材であり、鉄や高分子材料などからなる。
控部材２は、擁壁パネル１の背面に連結部材１３を介して連結する。
擁壁パネル１と連結して盛土３内に埋設した控部材２は、盛土３の転圧により緊張力が発生し、連結した擁壁パネル１に抵抗力が発生する。
そのため控部材２は、埋設した際に緊張力による拘束により擁壁パネル１を保持できるように全長を設定する。
【００１５】
［２］擁壁構造
次に、本発明の擁壁構造について説明する。
【００１６】
（１）擁壁パネルの積み上げ
本発明の擁壁構造は、擁壁パネル１を積み上げて擁壁面を構成する。
擁壁パネル１は、支持部１２の上面１２１及び下面１２２を水平とした際に、壁面部１１の上面１１１及び下面１１２が背面から前面に向けて上方に傾斜するように壁面部１１が傾斜している。（図３）
このため、擁壁パネル１を、支持部１２の上面１２１及び下面１２２を水平にして積み上げることにより、壁面が傾斜壁である擁壁構造を構築することができる。
【００１７】
擁壁パネル１を、支持部１２の上面１２１及び下面１２２を水平にして積み上げると、支持部１２の上面１２１及び下面１２２が主に重量を支持する面として作用し、壁面部１１の上面１１１及び下面１１２が、擁壁パネル１の前方への滑動を妨げる抵抗面となる。このため、傾斜壁であっても安定した擁壁構造とすることができる。
【００１８】
（２）支持部の作用
本発明の擁壁構造は擁壁パネル１を並べて積み上げて擁壁面を形成し、擁壁面の背面に盛土を行うものである。（図４）
擁壁パネル１の背面には支持部１２を立設するため、壁面部１１と、隣り合う支持部１２、１２とにより囲まれる拘束空間Ｒができ、背面の盛土３の三方を囲んで拘束する。このため、擁壁パネル１に作用する土圧が軽減され、前方に倒れ込むことがない。
【００１９】
また、支持部１２には切欠部１２３を設けるため、隣り合う拘束空間Ｒが一体となり、連続する拘束空間Ｒによって擁壁面近傍の盛土全体を拘束することとなり、安定した擁壁構造となる。
そして、切欠部１２３には盛土３が入り込むため、切欠部１２３から支持部１２には盛土３による下方向の土圧が作用する。このため、擁壁パネル１には下方向に荷重が伝達して擁壁パネル１を押さえ込み、安定した擁壁構造となる。
【００２０】
［３］擁壁の施工方法
次に、擁壁構造の施工方法について説明する。
【００２１】
（１）擁壁パネルの配置
図５ａにおいて、擁壁面を形成する下位の擁壁パネル１ａの背面に、その上端付近の高さに撒きだした土砂を転圧して盛土上面３ａが形成されている。擁壁パネル１ａは、支持部１２ａの上面１２１ａが水平となるように配置すると、擁壁面は傾斜した壁面部１１ａにより斜壁となる。
そして、下位の擁壁パネル１ａの上部に、上位の擁壁パネル１ｂを積み上げて組み付ける。擁壁パネル１ｂは、下位の擁壁パネル１ａの支持部１２ａの上面１２２ａと支持部１２ｂの下面１２２ｂとが重なり合うように、また、下位の擁壁パネル１ａの壁面部１１ａの上面１１１ａと壁面部１１ｂの下面１１２ｂとが重なり合うように配置すれば良いため、位置決めが容易である。
擁壁パネル１ｂは、支持部１２ｂの下面１２２ｂが水平なため、自立が可能であるが、クランプ等の組み付け治具によって組み付けることにより、より安全に施工することができる。
また、壁面部１１ａ、１１ｂの上面１１１ａ及び下面１１２ｂが、擁壁パネル１ｂの前方への滑動を妨げる抵抗面となり、施工中の擁壁パネル１ｂがより安定する。
擁壁パネル１ｂを配置した後、盛土３の上面３ａの高さが、擁壁パネル１ｂの背面の連結部材１３と同程度の高さになるまで、土砂を撒きだして転圧する。（図５ｂ）
【００２２】
（２）控部材の配置
次に、擁壁パネル１ｂに連結部材１３ｂを介して控部材２を連結する。
そして、所定の長さを有する控部材２を、擁壁パネル１ｂの支持部１２ｂと平行する方向に延ばし、盛土上面３ａにたるみなく配置する。（図５ｃ）
控部材２はベルト状又は線状の部材であるため、容易に盛土上面３ａに配置できる。
【００２３】
以降は、上記工程と同様に、控部材２を配置した盛土上面３ａの上に上位の擁壁パネル１ｂの上端付近の高さまで撒きだした土砂を転圧する工程と、上位の擁壁パネル１ｂの上方に、別の擁壁パネル１を組み増しする工程とを繰り返し行って、擁壁を構築する。
控部材２は載荷する盛土３により緊張力が発生した状態で盛土３内に固定され、擁壁パネル１は控部材２によって引張されて、土圧に対抗する。
【実施例１】
【００２４】
上記参考例は、壁面が斜壁である擁壁構造を構築したが、壁面部１１の上面１１１及び下面１１２を水平にして積み上げることにより、壁面が直壁である擁壁構造も構築することができる。（図６）
【００２５】
擁壁パネル１を、壁面部１１の上面１１１及び下面１１２を水平にして積み上げると、壁面部１１の上面１１１及び下面１１２が主に重量を支持する面として作用し、支持部１２の上面１２１及び下面１２２は、擁壁パネル１の後方への滑動を妨げる抵抗面となる。このため、直壁であっても安定した擁壁構造とすることができる。
【００２６】
擁壁パネル１の壁面部１１には、上面１１１から下面１１２へ貫通する貫通孔１１３を形成してもよい。（図７）
擁壁パネル１を積み重ねると、下位の擁壁パネル１ａの貫通孔１１３ａと、上位の擁壁パネル１ｂの貫通孔１１３ｂとが連通する。（図８）
そして、壁面部１１の高さよりも長く、上端に係止部４１を設けた棒状の鉄筋４を貫通孔１１３ｂ及び１１３ａに挿入することにより、鉄筋４を介して上位の擁壁パネル１ｂと下位の擁壁パネル１ａが一体となり、施工時に擁壁パネル１ｂの転倒を防止できる。
【符号の説明】
【００２７】
１      擁壁パネル
１１    壁面部
１１１  上面
１１２  下面
１１３  貫通孔
１２    支持部
１２１  上面
１２２  下面
１２３  切欠部
１３    連結部材
２      控部材
３      盛土
４      鉄筋
４１    係止部
Ｒ      拘束空間
【図１】
0005753367.tif 000002
【図２】
0005753367.tif 000003
【図３】
0005753367.tif 000004
【図４】
0005753367.tif 000005
【図５】
0005753367.tif 000006
【図６】
0005753367.tif 000007
【図７】
0005753367.tif 000008
【図８】
0005753367.tif 000009
【図９】
0005753367.tif 000010